(57)【特許請求の範囲】
【請求項１】
流入口及び流出口を有した流路を備えた本体と、該本体の流路内に設けられ流入開口及び底部を有したカップ状のスクリーンと、該本体の側面に設けられ上記スクリーンの出し入れを行なうための孔部と、該孔部を閉塞する着脱可能な蓋とを備え、上記本体の流入口側の流路を形成する内壁内側に上記スクリーンの開口端部が挿入される端部保持部を形成してなるストレーナにおいて、
上記スクリーンの開口端部の外周に、上記端部保持部の内周面に弾接するシールリングを設け、上記本体に、上記スクリーンの開口端部が上記端部保持部から抜けることを阻止する手動で着脱可能な抜け止め手段を設け、
上記抜け止め手段を、上記本体の流路を形成する内壁であって上記スクリーンの底部よりも流出口側に設けられる挿通孔と、一端が上記挿通孔に挿通されて上記スクリーンの底部を押える押え杆とを備えて構成し、
上記挿通孔を、上記本体の流路を形成する内壁であって該本体に装着された上記蓋に対向する部位に設け、上記押え杆の他端を該装着された蓋の下面に当接して押さえられて係止可能になるように平面状に形成したことを特徴とするストレーナ。
【請求項２】
上記抜け止め手段を、上記押え杆に同軸に設けられ該押え杆の他端側に向けて末広がりの円錐台部と、上記スクリーンの底部に設けられ上記円錐台部の円錐面に当接し上記スクリーンの上記流出口側への移動により上記押え杆の他端を上記蓋の下面に向けて押圧する押圧部材とを備えて構成したことを特徴とする請求項１記載のストレーナ。
【請求項３】
上記押圧部材を上記底部外周に固設したリング状のフレームで構成したことを特徴とする請求項２記載のストレーナ。
【請求項４】
上記蓋を孔部の所定深さ位置に嵌挿可能にし、上記孔部の内周及び蓋の外周のいずれか一方に他方に弾接するシール部材を設け、上記孔部の内周であって嵌挿された蓋本体の上面外周に沿う溝を形成し、上記蓋の上に配置されるとともにバネ材料で形成され拡径されて外周部が上記溝に挿入され且つ内周部が該蓋の上面外縁部を押さえるリング部材を設け、該リング部材を拡径して保持する手動の拡径保持機構を備えたことを特徴とする請求項１乃至３何れかに記載のストレーナ。
【発明の詳細な説明】
【技術分野】
【０００１】
本発明は、水，油等の流体の流れる管路において、この流体内に含まれるゴミ等の異物を濾過するスクリーンを備えたストレーナに関する。
【背景技術】
【０００２】
従来、この種のストレーナとしては、例えば、本願出願人が先に提案したストレーナが知られている（特許第４２７２９０７号公報に掲載）。図１５に示すように、このストレーナＳａは、流入口２０１及び流出口２０２を有した流路を有した本体２００と、本体２００の流路内に着脱可能に装着され流体が流入する流入開口２１１を有したカップ状のスクリーン２１０とを備えて構成されている。スクリーン２１０は、前後一対のリング状のフレーム２１０ａに、筒状の網状部材２１０ｂを溶接により一体形成したものである。本体２００は、その流路を直線状とする管体で形成されており、側壁にはスクリーン２１０の出し入れを行なうための孔部２０３が形成され、流入口２０１側の流路を形成する側壁内周にはスクリーン２１０の装着時にスクリーン２１０の流入開口端面２１２が押圧されて密着する受面２０４を有した受部２０５が形成され、流路を形成する内壁には、本体２００の軸線と挿入時のスクリーン２１０の軸線とが同軸になるようにスクリーン２１０を支持してガイドするガイド突起２０６が設けられている。このガイド突起２０６のスクリーン２１０と当接する当接面はスクリーン２１０の外側に沿うように円周面に形成されている。
【０００３】
また、スクリーン２１０の流入開口端面２１２を本体２００の受面２０４に押圧する押圧手段２２０を備えている。この押圧手段２２０は、本体２００の流路を形成する内壁であってスクリーン２１０の底部２１３よりも流出口２０２側に設けられる雌ネジ部２２１と、一端側２２４ａに雌ネジ部２２１に螺合される雄ネジ部２２２を有するとともに他端側２２４ｂに締め付け具により回転させられるボルト頭２２３を有したボルト２２４と、ボルト２２４に同軸に設けられボルト２２４の他端側２２４ｂに向けて末広がりの円錐台部２２５と、円錐台部２２５の円錐面２２５ａに当接するテーパ面２２６ａを有しボルト２２４の雌ネジ部２２１に対するねじ込みによりスクリーン２１０の流入開口端面２１２を本体２００の受面２０４に押圧する押圧部材２２６とを備えて構成されている。押圧部材２２６は、後側のリング状のフレーム２１０ａで構成されている。
【０００４】
また、このストレーナＳａは、孔部２０３を開閉する蓋２０７を備えている。本体２００の孔部２０３の周囲には蓋２０７を固定するための雌ネジ２３０が形成され、この雌ネジ２３０に雄ネジ２３１を螺合して立設している。蓋２０７には雄ネジに２３１に挿通される通孔２３２が形成され、この通孔２３２に雄ネジ２３１を挿通して蓋２０７を孔部２０３に被せ、それから、この雄ネジ２３１にナット２３３を締め付けることにより蓋２０７を固定するようにしている。雄ネジ２３１とナット２３３の組み合わせは等角度関係で例えば８組設けられる。また、蓋２０７と孔部２０３の周囲の当接面には、リング状のパッキン２３４が介装され、流体の本体２００の外部への流出を防止している。
【０００５】
スクリーン２１０を本体２００に装着するときは、蓋２０７を取り外して孔部２０３を開にする。この場合、スパナなどの締め付け具で雄ネジ２３１に対してナット２３３を緩めて、ナット２３３を取り外し、それから、蓋２０７を取り外す。
次に、スクリーン２１０を孔部２０３から本体２００内に入れてガイド突起２０６に載置し、スクリーン２１０の流入開口端面２１２を本体２００の受面２０４に対峙させる。それから、押圧手段２２０によりスクリーン２１０の流入開口端面２１２を本体２００の受面２０４に押圧する。詳しくは、ボルト２２４の雄ネジ部２２２を本体２００の雌ネジ部２２１に螺合し、ボルト２２４のボルト頭２２３を締め付け具で回転させてボルト２２４を本体２００にねじ込む。この際、円錐台部２２５の円錐面２２５ａが、押圧部材２２６に設けられるテーパ面２２６ａを徐々に押し下げ、押圧部材２２６はスクリーン２１０の底部２１３に固着され、またスクリーン２１０はガイド突起２０６に載置されていることからボルト２２４の軸方向に移動せず、ガイド突起２０６の円周面に沿って流入口２０１側に進み、スクリーン２１０の流入開口端面２１２が本体２００の受部２０５の受面２０４に密着する。
【０００６】
その後、蓋２０７を孔部２０３に被せて孔部２０３を閉にする。その後、スパナなどの締め付け具を用いて雄ネジ２３１に対してナット２３３をねじ込んで締め付け、蓋２０７を本体２００に固定する。
このようにスクリーン２１０が装着されたストレーナＳａに流入口２０１から流体が流入すると、この流体に混在する異物がスクリーン２１０で濾過されて流出口２０２から流出するようになる。
また、スクリーン２１０にゴミ等の異物が溜まってこのスクリーン２１０を洗浄あるいは交換をする際には、蓋２０７を取り外して孔部２０３を開にする。この場合、スパナなどの締め付け具で雄ネジ２３１に対してナット２３３を緩めて、ナット２３３を取り外し、それから、蓋２０７を取り外す。そして、ボルト頭２２３を締め付け具で回転させてボルト２２４の雄ネジ部２２２を本体２００の雌ネジ部２２１に対して緩め、ボルト２２４を取り外し、円錐台部２２５による押圧部材２２６の押圧を解除してスクリーン２１０を取り出し、スクリーン２１０を掃除するかあるいは新しいものと交換し、上記したように、再び、スクリーン２１０を取り付ける。
【先行技術文献】
【特許文献】
【０００７】
【特許文献１】特許第４２７２９０７号公報
【発明の概要】
【発明が解決しようとする課題】
【０００８】
しかしながら、この従来のストレーナＳａにおいては、スクリーン２１０を本体２００に装着する際、あるいは、スクリーン２１０にゴミ等の異物が溜まってこのスクリーン２１０を洗浄あるいは交換をする際には、蓋２０７を取り外してから、ボルト頭２２３を締め付け具で回転させてボルト２２４の雄ネジ部２２２を本体２００の雌ネジ部２２１に対して緩め、ボルト２２４を取り外し、円錐台部２２５による押圧部材２２６の押圧を解除してスクリーン２１０を取り出す。この状態で、スクリーン２１０を掃除するかあるいは新しいものと交換し、再び、ボルト２２４の雄ネジ部２２２を本体２００の雌ネジ部２２１に螺合し、ボルト２２４のボルト頭２２３を締め付け具で回転させてボルト２２４を本体２００にねじ込む。
そのため、スクリーン２１０の装着，取外しにおいては、逐一、スパナなどの締め付け具でボルト２２４を緩め、締め付けなければならないので、それだけ作業が煩雑になっているという問題があった。
【０００９】
本発明は、このような問題点に鑑みてなされたもので、スクリーンの装着，取外しを手動操作で行うことができるようにして作業性の向上を図るとともに、手動操作であってもスクリーンを確実に押えてろ過機能の確保を図ったストレーナを提供することを目的とする。
【課題を解決するための手段】
【００１０】
このような目的を達成するため、本発明のストレーナは、流入口及び流出口を有した流路を備えた本体と、該本体の流路内に設けられ流入開口及び底部を有したカップ状のスクリーンと、該本体の側面に設けられ上記スクリーンの出し入れを行なうための孔部と、該孔部を閉塞する着脱可能な蓋とを備え、上記本体の流入口側の流路を形成する内壁内側に上記スクリーンの開口端部が挿入される端部保持部を形成してなるストレーナにおいて、
上記スクリーンの開口端部の外周に、上記端部保持部の内周面に弾接するシールリングを設け、上記本体に、上記スクリーンの開口端部が上記端部保持部から抜けることを阻止する手動で着脱可能な抜け止め手段を設けた構成としている。
【００１１】
これにより、スクリーンを本体に装着するときは、本体の蓋を取り外して孔部を開にし、スクリーンを孔部から流路内に入れ、本体の端部保持部にスクリーンの開口端部を挿入する。次に、抜け止め手段を手動で装着し、再び蓋を閉める。この場合、抜け止め手段は手動で装着できるので、蓋を開けた状態でのスクリーンの装着は、従来に比較して極めて簡単に行われ、作業性の向上を図ることができる。
【００１２】
また、蓋が閉められた状態では、スクリーンは抜け止め手段により抜け止めされるので、スクリーンの開口端部は本体の端部保持部内に保持される。そのため、スクリーンの開口端部の外周に設けられたシールリングが端部保持部の内周面に弾接し、この状態が保持されるので、シールリングによるシール性を確保することができ、スクリーンの開口端部の外周と端部保持部の内周との間からゴミなどが通過してろ過不良を生じる事態を防止することができ、確実にスクリーンでの捕捉を行うことができるようになる。即ち、スクリーンのネットのメッシュに細かいものを使用しても、このメッシュより粗いゴミ等の異物がスクリーンの開口端部と端部保持部との間から逃げ出すことがなく、目の細かいスクリーンにも対応できるようになる。
【００１３】
そして、ストレーナの使用に伴い、スクリーンの網状部材にゴミが溜まったときには、スクリーンの洗浄を行い、あるいは、しばしば損傷したり破損したりすることがあり、この場合には網状部材の交換を行う。この場合には、蓋を本体の孔部から取り外し、抜け止め手段を手動で取り外し、スクリーンの取り出しを行う。この際には、抜け止め手段を手動で取り外すことができるので、従来に比較して極めて簡単に行われ、作業性の向上を図ることができる。次に、上記と同様に、スクリーンを孔部から流路内に入れ、本体の端部保持部にスクリーンの開口端部を挿入する。次に、抜け止め手段を手動で装着し、再び蓋を閉める。この場合、抜け止め手段は手動で装着できるので、蓋を開けた状態でのスクリーンの装着は、従来に比較して極めて簡単に行われ、作業性の向上を図ることができる。
【００１４】
そして、必要に応じ、上記抜け止め手段を、上記本体の流路を形成する内壁であって上記スクリーンの底部よりも流出口側に設けられる挿通孔と、一端が上記挿通孔に挿通されて上記スクリーンの底部を押える押え杆とを備えて構成している。これによれば、押え杆を挿通孔に挿脱するだけで、押え杆の着脱ができるので、作業がきわめて簡単であり、より一層作業性の向上を図ることができる。
【００１５】
また、必要に応じ、上記挿通孔を、上記本体の流路を形成する内壁であって該本体に装着された上記蓋に対向する部位に設け、上記押え杆の他端を該装着された蓋の下面に当接して押さえられて係止可能になるように平面状に形成した構成としている。押え杆の一端は挿通孔に保持され、他端は蓋に係止されて保持されるので、押え杆の保持が安定し、確実にスクリーンを押えることができる。
【００１６】
更に、必要に応じ、上記抜け止め手段を、上記押え杆に同軸に設けられ該押え杆の他端側に向けて末広がりの円錐台部と、上記スクリーンの底部に設けられ上記円錐台部の円錐面に当接し上記スクリーンの上記流出口側への移動により上記押え杆の他端を上記蓋の下面に向けて押圧する押圧部材とを備えて構成している。
これにより、スクリーンが流体により流出口側に押されても、スクリーンの押圧部材が押え杆の円錐台部のテーパ面を徐々に押し上げるので、より一層押え杆は蓋によって押えられることになり、確実にスクリーンの移動が阻止される。
この場合、上記押圧部材を上記底部外周に固設したリング状のフレームで構成したことが有効である。フレームはスクリーンと一体なので、流路を阻害する事態が防止される。
【００１７】
また、本発明では、上記蓋を孔部の所定深さ位置に嵌挿可能にし、上記孔部の内周及び蓋の外周のいずれか一方に他方に弾接するシール部材を設け、上記孔部の内周であって嵌挿された蓋本体の上面外周に沿う溝を形成し、上記蓋の上に配置されるとともにバネ材料で形成され拡径されて外周部が上記溝に挿入され且つ内周部が該蓋の上面外縁部を押さえるリング部材を設け、該リング部材を拡径して保持する手動の拡径保持機構を備えた構成としたことが有効である。
【００１８】
これにより、本体の孔部を蓋で塞ぐときは、蓋を孔部の所定深さ位置に嵌挿するとともに、蓋の上にリング部材を配置し、拡径保持機構を手動で作動し、拡径保持機構によりリング部材を拡径して保持する。リング部材が拡径すると、リング部材の外周部が孔部の溝に挿入され且つ内周部が蓋の上面外縁部を押さえ、即ち、リング部材が溝と蓋との境界に跨って配置され、蓋を押える。この状態では、孔部の内周及び蓋の外周のいずれか一方に設けられたシール部材が他方に弾接してシールを行う。
このため、手動で蓋を閉めて固定することができるので、作業性の向上を図ることができる。特に、従来においては、蓋のシールは、蓋の裏面と孔部の開口端面との面接触によるので、ナットを堅く締め付けなければシールできず、締め付け荷重が大きくなるが、リング部材は、比較的小さい荷重で拡径できるので、拡径保持機構を手動で行う簡易な機構にして、作業性を向上させることができるのである。
また、蓋が閉められた状態では、孔部の内周及び蓋の外周のいずれか一方に設けられたシール部材が他方に弾接してシールを行う。この場合、本体の流路に内圧がかかるなどしても、リング部材が溝と蓋との境界に跨って配置されて蓋を押えるので、蓋が傾くなどすることなく安定することから、シール部材によるシール性を確保することができ、流体の漏れを阻止することができる。特に、蓋が閉められた状態で、本体の流路に内圧がかかる場合には、蓋が浮き上がって開方向へ移動しようとするが、この蓋によってリング部材が溝の壁面に押圧されるので、それだけ、押えが確実になることから、確実に蓋が固定され、シール性が確保される。
【００１９】
一方、蓋を本体の孔部から取り外すときは、拡径保持機構を手動で作動し拡径保持機構によるリング部材の拡径保持を解除する。これにより、リング部材はバネ材料で形成されているので、縮径し、リング部材の外周部が孔部の溝から外れるようになる。そのため、リング部材による蓋の押さえがなくなるので、蓋を容易に外すことができるようになる。  このため、手動で蓋の固定を解除して開けることができるので、作業性の向上を図ることができる。
即ち、蓋の開閉もスクリーンの着脱も両者とも手動操作で行うことができるので、より一層、スクリーンの着脱作業性を向上させることができるのである。
【発明の効果】
【００２０】
本発明によれば、スクリーンを本体に装着するときは、本体の蓋を取り外した状態で、スクリーンを孔部から流路内に入れ、本体の端部保持部にスクリーンの開口端部を挿入するとともに、抜け止め手段を手動で装着する。一方、スクリーンの取り出しを行うときは、本体の蓋を取り外した状態で、抜け止め手段を手動で取り外し、本体の端部保持部からスクリーンの開口端部を抜いて、スクリーンを取り出す。そのため、抜け止め手段の手動の簡易な操作により、スクリーンの装着，取外しが容易にできるので、作業性の向上を図ることができる。
【００２１】
また、蓋が閉められた状態では、スクリーンは抜け止め手段により抜け止めされるので、スクリーンの開口端部は本体の端部保持部内に保持される。そのため、スクリーンの開口端部の外周に設けられたシールリングが端部保持部の内周面に弾接し、この状態が保持されるので、シールリングによるシール性を確保することができ、スクリーンの開口端部の外周と端部保持部の内周との間からゴミなどが通過してろ過不良を生じる事態を防止することができ、確実にスクリーンでのごみなどの異物の捕捉を行うことができるようになる。即ち、スクリーンのネットのメッシュに細かいものを使用しても、このメッシュより粗いゴミ等の異物がスクリーンの開口端部と端部保持部との間から逃げ出すことがなく、目の細かいスクリーンにも対応できるようになる。
【図面の簡単な説明】
【００２２】
【図１】本発明の実施の形態に係るストレーナを示す分解斜視図である。
【図２】本発明の実施の形態に係るストレーナを示す平面図である。
【図３】本発明の実施の形態に係るストレーナを示す側面半断面図である。
【図４】本発明の実施の形態に係るストレーナを、蓋を閉じた状態で示す正面断面図である。
【図５】本発明の実施の形態に係るストレーナにおいて、スクリーン及び押え杆を本体に装着する工程を示す図である。
【図６】本発明の実施の形態に係るストレーナにおいて、蓋を本体に装着する前の状態を示す要部断面図である。
【図７】本発明の実施の形態に係るストレーナにおいて、蓋を本体に装着する工程を示す工程図であり、（ａ）は蓋を入れる初期の図、（ｂ）は蓋を所定位置に嵌挿した状態でリング押えが解除位置にある状態を示す図、（ｃ）は蓋を所定位置に嵌挿した状態でリング押えが押圧位置にある状態を示す図である。
【図８】本発明の実施の形態に係るストレーナにおいて、リング押えが押圧位置及び解除位置にあるときのリング部材の拡径状態を示す図である。
【図９】本発明の実施の形態に係るストレーナにおいて、リング押えが押圧位置にあるときの状態を示す要部断面図である。
【図１０】本発明の別の実施の形態に係るストレーナを示す分解斜視図である。
【図１１】本発明の別の実施の形態に係るストレーナを示す平面図である。
【図１２】本発明の別の実施の形態に係るストレーナを示す正面断面図である。
【図１３】本発明の別の実施の形態に係るストレーナにおいて、拡径保持機構を示す要部断面図である。
【図１４】本発明の実施の形態に係るストレーナであって、位置認知機構の別の例を備えたストレーナを示し、（ａ）は平面図、（ｂ）は要部側面断面図である。
【図１５】従来のストレーナの一例を示す図である。
【発明を実施するための形態】
【００２３】
以下、添付図面に基づいて本発明の実施の形態に係るストレーナについて詳細に説明する。
図１乃至図９には、本発明の実施の形態に係るストレーナＳを示している。ストレーナＳの基本的構成は、流入口２及び流出口３を有した流路４を有した本体１と、本体１に形成された孔部１０を開閉する蓋１１と、本体１の流路４内に孔部１０を通して着脱可能に装着され流体が流入する流入開口５１を有したカップ状のスクリーン５０とを備えてなる。
【００２４】
本体１は、図１乃至図４に示すように、その流路４を直線状とする管体であって鋳物で形成されている。この本体１の流入口２及び流出口３の内縁には、夫々、流体が流れる他の管体に本体１を取り付けるためのフランジ５が形成されている。また、本体１の流入口２側の流路４を形成する内壁内側には、スクリーン５０の装着時にスクリーン５０の開口端部が挿入される端部保持部６が形成されている。端部保持部６は、スクリーン５０の流入開口５１の挿入時にその端面が当接可能な段差面６ａを有している。
【００２５】
更に、図４に示すように、流路４を形成する内壁には、本体１の軸線と挿入時のスクリーン５０の軸線とが同軸になるようにスクリーン５０を支持してガイドするガイド突起７が設けられている。このガイド突起７のスクリーン５０と当接する当接面はスクリーン５０の外側に沿うように円周面に形成されている。
更にまた、この本体１の側壁に、スクリーン５０の出し入れを行なうための孔部１０が設けられている。この孔部１０は円形筒状に形成されている。
【００２６】
孔部１０にはこれを開閉する蓋１１が設けられる。この蓋１１は、本体１と同様の鋳物で中心軸Ｐを有した円盤状に形成されており、孔部１０の所定深さ位置に嵌挿可能に形成されている。孔部１０の内周には、蓋１１の下面外周縁部が当接する段差部１２が形成されており、この段差部１２に当接した状態で、蓋１１は孔部１０の所定深さ位置に位置決めされる。尚、段差部１２に至る途中にも、テーパ状の段差部１３（図６）が形成されており、徐々に蓋１１が孔部１０に嵌着されるようにしている。
また、孔部１０の内周及び蓋１１の外周のいずれか一方には、他方に弾接するシール部材１４が設けられている。実施の形態では、シール部材１４は、ゴム製のＯ−リングで構成され、蓋１１の外周に形成した溝部１５に環着されている。
【００２７】
また、孔部１０の内周には、嵌挿された蓋１１の上面外周に沿う溝１６が形成されている。また、蓋１１の上には、バネ材料で形成され拡径されて外周部が溝１６に挿入され且つ内周部が蓋１１の上面外縁部を押さえるリング部材２０が配置されている。リング部材２０は、断面円形であり、環状のバネ材料の一部を切り欠いた切欠き部２１を有したＣ字状に形成されており、切欠き部２１を構成する両端部には外向きの突出部２２が一体形成されている。孔部１０の周囲を構成する壁部には、溝１６に連通しリング部材２０の装着時にその突出部２２が外側に突出して臨む上解放の凹所２３が、等角度（１８０°）の位置関係で、一対形成されている。
【００２８】
更に、孔部１０を構成する壁部の端面には、本体１をウインチなどで吊り下げ移動するために、ウインチのフックを係止するためのアイボルト２６が、等角度（１８０°）の位置関係で、一対立設されている。
更にまた、蓋１１には、本体１内部の圧力を抜くための、コック２７ａの手動操作で開閉を行うボールバルブ２７が設けられている。
尚、符号２８は、本体１に設けられ圧力抜きあるいは液抜き用のプラグである。
【００２９】
そして、本ストレーナＳは、上記のリング部材２０を拡径して保持する手動の拡径保持機構３０を備えている。
拡径保持機構３０は、蓋１１の上側に上下方向に移動可能に設けられ移動によりリング部材２０を拡径方向に押圧する押圧位置Ｘ及びリング部材２０の押圧を解除する解除位置Ｙに位置可能なリング押え３１を備えて構成されている。拡径保持機構３０は、このリング押え３１を解除位置Ｙから押圧位置Ｘに手動により移動させて押圧位置Ｘに保持する。
詳しくは、リング押え３１は、蓋１１の外形とほぼ同形の外径を有した円環状の円環体３２と、円環体３２に架設され、手で把持して円環体３２を移送可能にする架設部材３３とを備えて構成されている。リング押え３１の円環体３２の下側外周縁は、押圧位置Ｘ方向への移動時に、リング部材２０の内側に当接しリング部材２０を拡径方向に押圧する傾斜面に形成された当接部３４を有して構成されている。リング押え３１の架設部材３３の中央には貫通孔３５が形成されている。
一方、蓋１１の上面外縁部３６は、リング部材２０の内側に当接し蓋１１の開方向への移動時にリング部材２０を拡径方向に押圧する傾斜面に形成されている。
【００３０】
そしてまた、拡径保持機構３０は、リング押え３１を解除位置Ｙ方向に付勢するスプリング３７を備えて構成され、リング押え３１をスプリング３７の付勢力に抗して移動させて押圧位置Ｘに位置させる一方リング押え３１をスプリング３７の付勢力により解除位置Ｙに移動可能にするよう構成されている。
また、拡径保持機構３０は、蓋１１の中心の上面に立設されるとともにリング押え３１の架設部材３３の中央に形成した貫通孔３５が挿通され、リング押え３１を移動可能に支持するスタッドボルト４０と、リング押え３１の上側でスタッドボルト４０に進退可能に螺合し進出時にリング押え３１を押圧して押圧位置Ｘに位置させ後退時にリング押え３１を解除位置Ｙに移動可能にする手動の進退部材４１とを備えて構成されている。進退部材４１は、手で操作可能な棒状のハンドル型に形成されている。スプリング３７は、スタッドボルト４０に挿通され蓋１１とリング押え３１との間に設けられるコイルスプリングで構成されている。
【００３１】
また、スタッドボルト４０の進退部材４１の上側には、進退部材４１がリング押え３１を押圧位置Ｘに位置させた状態で、この進退部材４１をロックする蝶ナット４２が螺合している。更に、蝶ナット４２の上側には、進退部材４１がリング押え３１を解除位置Ｙに位置する位置で、リング押え３１の円環体３２の下面と蓋１１の上面との間Ｅ（図６）を、例えば４ｍｍの所定の間隔に保持し、リング部材２０の縮径を許容するための一対の位置決めナット４３が螺合している。
【００３２】
更に、本ストレーナには、リング押え３１が押圧位置Ｘに位置したことを認知するための位置認知機構７０が設けられている。具体的には、孔部１０の周囲を構成する壁部には、蓋１１の上下方向軸線に直行する方向の軸線を有する雌ネジ２４が、等角度（１８０°）の位置関係で、一対形成されている。各雌ネジ２４には、この雌ネジ２４に螺合し雌ネジ２４に外側からねじ込まれて、押圧位置Ｘにあるリング押え３１（図４，図６（ｃ））の上側に臨む雄ネジ２５ａを有した蝶ボルト２５が設けられている。位置認知機構７０は、この各雌ネジ２４及びこれらに螺合する蝶ボルト２５で構成されている。
【００３３】
そして、予め、図６に示すように、蓋１１にリング部材２０と拡径保持機構３０を付帯しておく。即ち、蓋１１にスタッドボルト４０を立設し、リング部材２０を蓋１１の上に配置し、スタッドボルト４０にスプリング３７を挿通し、それから、リング押え３１をその貫通孔３５をスタッドボルト４０に貫通させて蓋１１の上に配置する。その後、スタッドボルト４０に進退部材４１，蝶ナット４２及び位置決めナット４３を螺合する。この場合、蓋１１の上面からリング押え３１の下面が所定間隔離間して、リング部材２０を縮径させておくようにする。
【００３４】
スクリーン５０は、図１，図４及び図５に示すように、本体１の流路４内に設けられ流入開口５１及び底部５１ａを有したカップ状に形成されている。このスクリーン５０は、円筒形のカップ状に形成されステンレス等の金属製の網状部材５２を備えている。網状部材５２の両端には、ステンレス等の金属製でリング状の前フレーム５３及び後フレーム５４が溶接により固設されている。前フレーム５３はスクリーン５０の流入開口５１を有した開口端部５５を構成する一方、後フレーム５４は後述の押圧部材６５を構成する。網状部材５２は、多数の小孔を有した金属製パンチ板で形成された外側部材（図示せず）と、外側部材の内側に溶接により付設され金属製ネットで形成された内側部材（図示せず）とを備えて構成されている。内側部材を構成する金属製ネットは、例えば、２０メッシュ〜２００メッシュのもので構成される。例えば、１００メッシュ（１インチ四方に、１×１０4個の目を持つもの）のものが使用される。網状部材５２は、金属製パンチ板と金属製ネットとの２層構造なので、強度が高くなる。
【００３５】
前フレーム５３からなる開口端部５５の外周には、本体１の端部保持部６の内周面に弾接するシールリング５６が設けられている。実施の形態では、シールリング５６は、ゴム製のＯ−リングで構成され、前フレーム５３の外周に形成した溝部５７に環着されている。スクリーン５０には把手５８が設けられている。
【００３６】
また、本体１には、スクリーン５０の開口端部５５が端部保持部６から抜けることを阻止する抜け止め手段６０が設けられている。
抜け止め手段６０は、本体１の流路４を形成する内壁であってスクリーン５０の底部５１ａよりも流出口３側に設けられる挿通孔６１と、一端が挿通孔６１に挿通されてスクリーン５０の底部５１ａを押える押え杆６２とを備えて構成されている。挿通孔６１は、本体１の流路４を形成する内壁であって、本体１に装着された蓋１１に対向する部位に設けられている。押え杆６２の他端は、装着された蓋１１に係止可能に形成されている。具体的には、押え杆６２の他端６２ａは、装着された蓋１１の下面に当接して押さえられる平面状に形成されている。
【００３７】
また、抜け止め手段６０は、押え杆６２に同軸に上下一対設けられ押え杆６２の他端側に向けて末広がりの円錐台部６３，６４と、スクリーン５０の底部５１ａに設けられ円錐台部６３，６４の円錐面６３ａ，６４ａに当接しスクリーン５０の流出口３側への移動により押え杆６２の他端を蓋１１の下面に向けて押圧する押圧部材６５とを備えて構成されている。押圧部材６５は、スクリーン５０の網状部材５２の底部５１ａの外周に固設した後フレーム５４で構成されている。そして、押圧部材６５である後フレーム５４の外周が上側の円錐台部６３の円錐面６３ａに当接し、後フレーム５４の内周が下側の円錐台部６４の円錐面６４ａに当接する。尚、挿通孔６１は、その形成時に本体１を貫通させるので、その外側はめくらプラグ６６で塞がれている。
【００３８】
従って、この実施の形態に係るストレーナＳにおいて、スクリーン５０を本体１に装着するときは、図５に示すように、先ず、本体１の蓋１１を取り外して孔部１０を開にし、スクリーン５０の把手５８を把持してこのスクリーン５０をその底部５１ａ側から孔部１０に入れて流路４内に収容する（図５中、Ｓ１→Ｓ２）。流路４内では、スクリーン５０をガイド突起７に載置し、スクリーン５０の流入開口５１を本体１の端部保持部６に対峙させる（図５中、Ｓ２）。それから、スクリーン５０の開口端部５５を端部保持部６に挿入する（図５中、Ｓ３）。次に、押え杆６２を本体１内に入れその一端を貫通孔３５に挿通して支持する（図５中、Ｓ４→Ｓ５）。この場合、押え杆６２は手動で装着でき、しかも、挿通孔６１に挿通するだけの簡単な作業でよいので、従来に比較して極めて簡単に行われ、作業性の向上を図ることができる。
【００３９】
この状態で、本体１の孔部１０を蓋１１で塞ぐ。この場合、先ず、図６及び図７（ａ）に示すように、リング部材２０と拡径保持機構３０を付帯した蓋１１を孔部１０に入れる。次に、図７（ｂ）に示すように、蓋１１を孔部１０に押し込み、蓋１１を所定深さ位置に嵌挿する。そして、図７（ｃ）に示すように、拡径保持機構３０を手動で作動する。この際には、進退部材４１をスタッドボルト４０に対してねじ込んでいく。進退部材４１はハンドル型なので操作性がよいものになっている。この操作においては、従来の蓋のシールは、蓋の裏面と孔部の開口端面との面接触によるので、ナットを堅く締め付けなければシールできず、締め付け荷重が大きくなるが、リング部材２０は、比較的小さい荷重で拡径できるので、スタッドボルト４０に螺合した進退部材４１を手動で回転させる簡易な操作でよく、簡易な機構にして、作業性を向上させることができる。これにより、図８に示すように、リング押え３１が押圧位置Ｘに移動させられ、リング部材２０が拡径されて保持される。
【００４０】
この状態で、図４及び図７（ｃ）に示すように、位置認知機構７０により、リング押え３１が押圧位置Ｘに位置したことを認知して確認を行う。具体的には、蝶ボルト２５をねじ込む。この場合、蝶ボルト２５の雄ネジ２５ａがねじ込まれないで、リング押え３１の側面に当接したならば、リング押え３１が押圧位置Ｘに位置していないことが認知できる。その場合には、リング押え３１を押圧位置Ｘに位置させるように、進退部材４１を更にスタッドボルト４０に対してねじ込んでいく。また、蝶ボルト２５の雄ネジ２５ａがねじ込まれて、リング押え３１の上側に臨むならば、リング押え３１が押圧位置Ｘに位置したことを認知できる。そのため、リング部材２０を確実に溝１６に挿入できるので、リング部材２０が溝１６に入らない誤作動を防止することができる。
【００４１】
また、リング押え３１が押圧位置Ｘに位置したならば、蝶ナット４２をねじ込んで進退部材４１をロックする。図９に示すように、リング部材２０が拡径すると、リング部材２０の外周部が孔部１０の溝１６に挿入され且つ内周部が蓋１１の上面外縁部３６を押さえ、即ち、リング部材２０が溝１６と蓋１１との境界に跨って配置され、蓋１１を押える。この場合、リング押え３１の当接部３４を傾斜面に形成したので、リング押え３１によるリング部材２０を拡径方向に押圧する分力が大きくなり、それだけ、リング部材２０の拡径を容易に行って、拡径を保持することができる。
このようにして、手動で蓋１１を閉めて固定することができるので、作業性の向上を図ることができる。この状態では、蓋１１の外周に設けられたシール部材１４が孔部１０の内周に弾接してシールを行う。また、押え杆６２は、その他端が装着された蓋１１の下面に当接して押さえられる。
【００４２】
ストレーナＳの使用時においては、流入口２から流体が流入すると、この流体に混在する異物がスクリーン５０で濾過されて流出口３から流出するようになる。この場合、スクリーン５０は押え杆６２によってその底部５１ａが押えられているので、スクリーン５０の移動が阻止される。そのため、スクリーン５０の前フレーム５３からなる開口端部５５には、シールリング５６が設けられ、このシールリング５６が本体１の端部保持部６の内周面に弾接しているので、スクリーン５０の開口端部５５の外周面と本体１の端部保持部６の内周面との間から、流体に含まれるゴミ等の異物が網状部材５２に濾過されずに通過してしまう事態が防止される。即ち、シールリング５６によるシール性を確保することができ、スクリーン５０の開口端部５５の外周と端部保持部６の内周との間からゴミなどが通過してろ過不良を生じる事態を防止することができ、確実にスクリーン５０での捕捉を行うことができるようになる。その結果、スクリーン５０のネットのメッシュに細かいものを使用しても、このメッシュより粗いゴミ等の異物がスクリーン５０の開口端部５５と端部保持部６との間から逃げ出すことがなく、目の細かいスクリーン５０にも対応できるようになる。
【００４３】
また、押え杆６２の一端は挿通孔６１に保持され、他端は蓋１１に係止されて保持されるので、押え杆６２の保持が安定し、確実にスクリーン５０を押えることができる。この場合、流体によりスクリーン５０が流出口３側に押されても、スクリーン５０の押圧部材６５（後フレーム５４）が押え杆６２の円錐台部６３，６４の円錐面６３ａ，６４ａを徐々に押し上げ、より一層押え杆６２は蓋１１によって押えられることになり、確実にスクリーン５０の移動が阻止される。
【００４４】
また、この流体の流れている際には、蓋１１が閉められた状態なので、蓋１１の外周に設けられたシール部材１４が孔部１０の内周に弾接してシールを行う。この場合、本体１の流路４に内圧がかかるなどしても、リング部材２０が溝１６と蓋１１との境界に跨って配置されて蓋１１を押えるので、蓋１１が傾くなどすることなく安定することから、シール部材１４によるシール性を確保することができ、流体の漏れを阻止することができる。特に、蓋１１が閉められた状態では、本体１の流路４の内圧により、蓋１１が浮き上がって開方向へ移動しようとするが、この蓋１１によってリング部材２０が溝１６の壁面に押圧されるので、それだけ、押えが確実になることから、確実に蓋１１が固定され、シール性が確保される。
また、図９に示すように、蓋１１が閉められた状態で、本体１の流路４に内圧がかかるなどして、蓋１１が浮き上がって開方向へ移動すると、蓋１１が抜けようとするが、蓋１１の上面外縁部３６が傾斜面に形成されているので、この傾斜面により、リング部材２０を拡径方向に押圧する分力が大きくなり、それだけ、押えが確実になることから、より一層確実に蓋１１が固定され、シール性が確保される。
【００４５】
そして、ストレーナＳの使用に伴い、スクリーン５０の網状部材５２にゴミが溜まったときには、スクリーン５０の洗浄を行い、あるいは、しばしば網状部材５２が損傷したり破損したりすることがあり、この場合には網状部材５２の交換を行う。この場合には、蓋１１を本体１の孔部１０から取り外し、スクリーン５０の取り出しを行う。
この際には、蓋１１の取り外しは、本体１の流路４内の内圧が無い状態にして、上記とは逆の工程をとる（図７（ｃ）→図７（ｂ）→図７（ａ）→図６）。即ち、蝶ボルト２５を緩めるとともに、拡径保持機構３０の蝶ナット４２を緩めて進退部材４１のロックを解除し、それから進退部材４１を緩めていき、拡径保持機構３０によるリング部材２０の拡径保持を解除する。これにより、リング部材２０はバネ材料で形成されているので、縮径し、リング部材２０の外周部が孔部１０の溝１６から外れるようになる。このとき、図７（ｂ）に示すように、拡径保持機構３０のスプリング３７の付勢力により、リング押え３１が解除位置Ｙ方向に強制的に移動させられるので、リング部材２０の拡径解除が確実に行われ、リング部材２０の外周部が孔部１０の溝１６から確実に外れるようになる。
【００４６】
この場合、もし、リング部材２０の縮径が不十分で、リング部材２０の外周部が孔部１０の溝１６から外れにくくなる場合には、図２に示すように、Ｃ字状の切欠き部の両端部にある外向きの突出部２２を、互いに近接するように手動で移動させる、これにより、リング部材２０が強制的に縮径するので、リング部材２０の外周部を孔部１０の溝１６から確実に外すことができ、これにより蓋１１を容易に外すことができるようになる。
図６に示すように、リング部材２０と拡径保持機構３０を付帯した蓋１１を孔部１０から引き抜いて取り外す。この場合、リング部材２０による蓋１１の押さえがなくなるので、蓋１１を容易に外すことができるようになる。このため、手動で蓋１１の固定を解除して開けることができるので、作業性の向上を図ることができる。
【００４７】
そして、スクリーン５０の取り出しを行う。この場合も、図５に示す上記の工程とは逆の工程をとる。即ち、押え杆６２を挿通孔６１から手で引き抜き、スクリーン５０の取り出しを行う。この際には、押え杆６２及びスクリーン５０を手動で取り外すことができるので、作業が従来に比較して極めて簡単に行われ、作業性の向上を図ることができる。次に、上記と同様に、スクリーン５０を孔部１０から流路４内に入れ、本体１の端部保持部６にスクリーン５０の開口端部５５を挿入する。次に、押え杆６２を手動で装着し、上記と同様に再び蓋１１を閉める。この場合も、押え杆６２は手動で装着できるので、蓋１１を開けた状態でのスクリーン５０の装着は、従来に比較して極めて簡単に行われ、作業性の向上を図ることができる。即ち、蓋１１の開閉もスクリーン５０の着脱も両者とも手動操作で行うことができるので、より一層、スクリーン５０の着脱作業性を向上させることができるのである。
【００４８】
ところで、一般には、ストレーナＳにおいては、蓋１１を開けるのは、本体１の流路４の内圧が無い状態で行うのが通常であるが、これに反して、本体１の流路４に内圧がかかった状態で、誤って、蓋１１を開けようとする場合もありうる。しかしながら、実施の形態では、このように本体１の流路４に内圧がかかった状態で、誤って、蓋１１を開けようとして、拡径保持機構３０を手動で作動しても、内圧により蓋１１が外側に押されているので、リング部材２０を溝１６に対して押圧することから、リング部材２０が縮径しようとしてもこれが阻止される。そのため、蓋１１が内圧により外側に飛び出る事態が防止され、安全性を確保することができる。即ち、本ストレーナＳにおいては、内圧が無くなってからでないと蓋１１を開けることができない構造なので、手動で簡易に蓋１１を開けることができるという操作性の向上を図りつつ、蓋１１を開ける際の安全性も確保することができる。
特に、蓋１１の上面外縁部３６が傾斜面に形成されているので、この傾斜面により、リング部材２０を拡径方向に押圧する分力が大きくなり、それだけ、押えが確実になることから、より一層確実に蓋１１が固定され、蓋１１が内圧により外側に飛び出る事態を確実に防止して、安全性を向上させることができるのである。
【００４９】
図１０乃至図１３には、本発明の別の実施の形態に係るストレーナＳを示している。これは、上記のストレーナＳと異なって、拡径保持機構３０においては、スタッドボルト４０を複数設け、リング押え３１に各スタッドボルト４０に対応した貫通孔３５を形成し、各スタッドボルト４０にコイルスプリング３７を設けている。貫通孔３５は、リング押え３１の円環体３２に、等角度（９０°）の位置関係で４つ設けられている。貫通孔３５は、図１３に示すように、上側の小径部３５ａと下側の大径部３５ｂとからなり、スプリング３７は、大径部３５ｂに収容され、大径部３５ｂと小径部３５ａとの段部と蓋１１の上面とで両端が押えられている。貫通孔３５に対応する蓋１１の外周部に、スタッドボルト４０が４本立設されている。上記と異なって、進退部材４１は蝶ナットで構成され、ロック用の蝶ナット及びナットは設けられていない。代わりに、スタッドボルト４０に挿通されるスプリングワッシャ４５を備えている。この別の実施の形態に係るストレーナＳにおいても、上記と同様の作用，効果を奏する。
【００５０】
図１４には、位置認知機構７０の別の例を備えたストレーナＳを示す。これは、上記のスタッドボルト４０を備えたタイプのストレーナである。位置認知機構７０は、上記と異なり、スタッドボルト４０の所定位置に、スタッドボルト４０の軸線に直行する貫通孔７１を形成し、この貫通孔７１に挿通されリング押え３１を押圧位置Ｘに位置させた進退部材４１の上側に臨むピン７２を設けて構成されている。ピン７２は、貫通孔７１への挿入時にスタッドボルト４０を挾持する略Ｕ字状に折曲形成された押え部７２ａを有した所謂スナップリングで構成されている。尚、図１４中符号７５は、本体１内部の圧力を抜くための手動開閉型のバルブであり、上記のボールバルブ２７に代わるものである。また、本例では、進退部材４１をロックする蝶ナット４２は設けられていない。
【００５１】
これによれば、進退部材４１を進出させてリング押え３１を押圧位置Ｘに位置させてから、ピン７２を貫通孔７１に差し込む。この場合、ピン７２が貫通孔７１に差し込まれないでスタッドボルト４０に当たる場合には、リング押え３１が押圧位置Ｘに位置していないことを認知できる。また、ピン７２が貫通孔７２に差し込まれて、進退部材４１の上側に臨むならば、リング押え３１が押圧位置Ｘに位置したことを認知できる。そのため、リング部材２０を確実に溝１６に挿入できるので、リング部材２０が溝１６に入らない誤作動を防止することができる。
【００５２】
尚、上記実施の形態において、スタッドボルト４０の数や設ける位置は、上述したものに限定されるものではなく、適宜変更して差し支えない。リング部材２０の形状も断面円形に限定されず、断面矩形など適宜変更して差し支えない。そのほか、拡径保持機構３０の構成は、上述したものに限定されない。
また、本発明では、蓋は上記実施の形態に係る蓋に限定されるものではなく、例えば、従来と同様に、ボルト，ナットで固定するタイプのもの、蓋自体をねじ込むタイプのもの等、どのような形態のものでも適用できることは勿論である。
【符号の説明】
【００５３】
Ｓ  ストレーナ
１  本体
２  流入口
３  流出口
４  流路
６  端部保持部
６ａ  段差面
７  ガイド突起
１０  孔部
１１  蓋
１２  段差部
１４  シール部材
１５  溝部
１６  溝
２０  リング部材
２１  切欠き部
２２  突出部
２３  凹所
２４  雌ネジ
２５  蝶ボルト
２６  アイボルト
２７  ボールバルブ
２８  プラグ
３０  拡径保持機構
３１  リング押え
Ｘ  押圧位置
Ｙ  解除位置
３２  円環体
３３  架設部材
３４  当接部
３５  貫通孔
３６  上面外縁部
３７  スプリング
４０  スタッドボルト
４１  進退部材
４２  蝶ナット
４３  ナット
４５  スプリングワッシャ
５０  スクリーン
５１  流入開口
５１ａ  底部
５２  網状部材
５３  前フレーム
５４  後フレーム
５５  開口端部（前フレーム５３）
５６  シールリング
５７  溝部
６０  抜け止め手段
６１  挿通孔
６２  押え杆
６３，６４  円錐台部
６３ａ，６４ａ  円錐面
６５  押圧部材（後フレーム５４）
６６  プラグ
７０  位置認知機構
７１  貫通孔
７２  ピン
【図１】
0005946263.tif 000002
【図２】
0005946263.tif 000003
【図３】
0005946263.tif 000004
【図４】
0005946263.tif 000005
【図５】
0005946263.tif 000006
【図６】
0005946263.tif 000007
【図７】
0005946263.tif 000008
【図８】
0005946263.tif 000009
【図９】
0005946263.tif 000010
【図１０】
0005946263.tif 000011
【図１１】
0005946263.tif 000012
【図１２】
0005946263.tif 000013
【図１３】
0005946263.tif 000014
【図１４】
0005946263.tif 000015
【図１５】
0005946263.tif 000016